(57)【要約】      （修正有）【課題】携帯時でも、着用途中で外した場合でもマスクを型崩れすることや汚すことなく、また確実に衛生上の安全性を確保する状態で収納し、かつ逆に新形コロナウイルス感染症による周囲の人や物を汚染し或いは感染することを防止することができ、安価なので使い捨ても可能なマスクホルダーを提供する。【解決手段】マスクホルダー１は、折り曲げ可能なシート状基材２の中央をマスク載置シート部３、その一側を下覆いシート部４、他側を上覆いシート部６として三つ折りに折り曲げることにより重ね合わせる構成からなっている。マスク載置部３、下覆いシート部４又は上覆いシート部６のいずれかのシート部に耳掛け紐用係止部８、８が上下寄りに位置して切込み形成してある。マスク載置シート部３の外面３Ａにマスク収納説明図１０が表してある。【選択図】図３
0003228111.tif 000002
【実用新案登録請求の範囲】
【請求項１】
折り曲げ可能なシート状基材の中央をマスク載置シート部と、該マスク載置シート部の一側を下覆いシート部と、他側を上覆いシート部として三つ折りに折り曲げることにより重ね合わせ、前記マスク載置シート部、下覆いシート部又は上覆いシート部のいずれかのシート部に耳掛け紐用係止部を切込み形成してなるマスクホルダー。
【請求項２】
前記係止部は、前記マスク載置シート部、下覆いシート部又は上覆いシート部のいずれかのシート部の上下寄りの位置に形成してあることを特徴とする請求項１記載のマスクホルダー。
【請求項３】
折り曲げ可能なシート状基材を、一側のマスク載置シート部と他側の上覆いシート部として二つ折に折り曲げることにより重ね合わせ、該マスク載置シート部及び／又は上覆いシート部に耳掛け紐用係止部を切込み形成してなるマスクホルダー。
【請求項４】
前記係止部は、前記マスク載置シート部及び／又は上覆いシート部の上下寄りの位置に形成してあることを特徴とする請求項３記載のマスクホルダー。
【請求項５】
前記マスク載置シート部又は下覆いシート部に、前記上覆いシート部を止める係止爪を切込み形成してあることを特徴とする請求項１又は３記載のマスクホルダー。
【請求項６】
前記マスク載置シート部及び覆いシート部の外面又は内面のいずれかにマスク収納説明図を記載してあることを特徴とする請求項１又は３記載のマスクホルダー。
【請求項７】
前記シート状基材は、紙材又は合成樹脂材である請求項１又は３記載のマスクホルダー。
【考案の詳細な説明】
【技術分野】
【０００１】
本考案は、携帯時にも、又着用途中に外した場合でもマスクを簡単に収納して汚れや型崩れを防止し、また着用したマスクで周囲の人や物を汚染するのを防止することができるマスクホルダーに関し、収納性、携帯性に優れており、かつ使い捨て可能なので、特に新型コロナウイルス感染症の感染防止に着用しているマスクを安全に管理できるマスクホルダーに関する。
【背景技術】
【０００２】
日本ではマスクを広く着用しており、使用するマスクには使い捨て型と再使用型との２種類があるが、これらマスクを携帯する場合や、着用途中で外した場合のための専用のホルダーは提案されていない。
このため、剥き出しの状態でポケットやバッグに入れて携帯していることから、マスクが汚たり、型崩れしてしまうという問題がある。また、着用後も剥き出しの状態でポケットやバッグに入れて携帯し、或いは事務机や接客用テーブル上に放置されたりすることから、後始末に苦慮しているのが現状である。
【先行技術文献】
【特許文献】
【０００３】
【特許文献１】見出せず。
【考案の概要】
【考案が解決しようとする課題】
【０００４】
このように、マスク収納専用のホルダーが無いことから、マスクはポケットやバッグ内で皺状態になり、或いは路上やゴミステーション等に剥き出しの状態で不用意に捨てられている事態を招いている。しかも、本年当初から拡散している新型コロナウイルスの感染予防のためには、マスクを衛生上安全にかつ完全に管理し、剥き出しの状態で路上やゴミステーション等に不用意に捨てられたりすることを確実に防止することが求められている。
【０００５】
また、接客業の店では、客に不快感や抵抗感を与えることなくマスクの着用を求め、また着用後のマスクを衛生上安全に処分するために、ホルダーに収納した状態で配り、着用後は使い捨てにすることは感染拡大の予防に極めて有効な手段であると思われる。
しかし、上述した感染予防性、携帯性、収納容易性、使い捨て可能性等の要請に応える提案はなされていない。
【０００６】
本考案は、上述した従来技術の未解決の問題点に鑑みなされたもので、携帯時でも、着用途中で外した場合でもマスクを型崩れすることや汚すことなく、また確実に衛生上の安全性を確保する状態で収納し、かつ逆に新型コロナウイルス感染症により周囲の人や物を汚染し或いは感染することを防止することができ、また安価なので使い捨てに抵抗感は無いし、無料で提供することも可能なマスクホルダーを提供する。
【課題を解決するための手段】
【０００７】
（１）上述した課題を解決するために構成した本考案の手段は、折り曲げ可能なシート状基材の中央をマスク載置シート部とし、該マスク載置シート部の一側を下覆いシート部とし、他側を上覆いシート部として三つ折りに折り曲げることにより重ね合わせ、前記マスク載置部、上覆いシート部又は下覆いシート部のいずれかのシート部に耳掛け紐用係止部を切込み形成したものからなる。
（２）そして、前記係止部は、前記マスク載置シート部、下覆いシート部及び／又は上覆いシート部の上下寄りの位置に形成するとよい。
（３）折り曲げ可能なシート状基材を、一側のマスク載置シート部と他側の上覆いシート部として二つ折に折り曲げることにより重ね合わせ、該マスク載置シート部及び／又は上覆いシート部に耳掛け紐用係止部を切込み形成したものからなる。
（４）前記係止部は、前記マスク載置シート部及び／又は覆いシート部の上下寄りの位置に形成してあるとよい。
（５）前記マスク載置シート部又は下覆いシート部に、前記上覆いシート部を止める係止爪を切込み形成してあるとよい。
（６）前記マスク載置シート部及び覆いシート部の外面又は内面のいずれかにマスク収納説明図を記載するとよい。
（７）前記シート状基材は、紙材又は合成樹脂材であるとよい。
【考案の効果】
【０００８】
本考案は上述の如く構成したから、下記の諸効果を奏する。
（１）シート状基材を三つ折りし、マスクを載置したマスク載置シート部を下覆いシート部と上覆いシート部で覆うことにより、マスクが外部に接触するのを防止し、また型崩れするのを防止できる。
（２）マスクの耳掛け紐はマスク載置シート部や他の覆いシート部に形成した係止部に係合するので、携帯時や取出し時に他の物に引っ掛かったりすることなく、円滑に携帯することができ、収納と取り出しが円滑にできる。また、耳掛け紐が汚れるのを可及的に防止できる。
（３）耳掛け紐用の係止部はマスク載置シート部、下覆いシート部及び／又は上覆いシート部のいずれかに形成することで、耳掛け紐を携帯や収納に邪魔にならないように収納することができる。
（４）マスクホルダーは、折り曲げ可能なシート状基材に打ち抜きと切り込み加工で成形できるから、安価に製作できるので使い捨てする使い方にも好適である。
（５）シート状基材に紙材又は合成樹脂材を用いることにより、使い捨て型のホルダー、又は洗浄による再利用型のホルダーのいずれも可能である。
【図面の簡単な説明】
【０００９】
【図１】図１乃至図６は本考案の第１の実施の形態に係り、図１はマスクホルダーの正面図である。
【図２】マスクホルダーの背面図である。
【図３】マスクホルダーの展開した外面図である。
【図４】マスクホルダーの内面側にマスクを載置した説明図である。
【図５】図５及び図６は変形例に係り、図５はマスクホルダーにマスクを載置した内面面である。
【図６】マスクを下覆いシート部で覆った状態の説明図である。
【図７】図７乃至図９は本考案の第２の実施の形態に係り、図７はマスクホルダーの正面図である。
【図８】マスクホルダーの背面図である。
【図９】マスクホルダーの内面側を示す展開図である。
【考案を実施するための形態】
【００１０】
以下、本考案の第１の実施の形態を図１乃至図６に基き詳述する。図１乃至図４において、１はマスク５１を収納するマスクホルダー（以下、ホルダー１と称する）、２は該ホルダー１を形成する四角形の紙材からなるシート状基材を示し、該シート状基材２には、例えば１１０ｋｇ程度の紙材を用いることで、折り曲げが可能であり、また折り曲げた形状を維持するので好適である。
【００１１】
３は前記シート状基材２を略３等分に画成することにより中央に形成したマスク載置シート部で、該マスク載置シート部３はマスク本体５１Ａを収納できる縦長の四角形をなしている。４はマスク載置シート部３の横方向一側に折曲げ縁５で折り曲げ可能に画成することにより下覆いシート部で、該下覆いシート部４はマスク載置シート部３と略同形の縦長形状からなり、マスク載置シート部３に載置したマスク本体５１Ａを全面的に覆うものである。
【００１２】
６はマスク載置シート部３の横方向他側に折曲げ縁７で折り曲げ可能に画成した上覆いシート部で、該上覆いシート部６はマスク載置シート部３と略同形の縦長形状からなり、前記下覆いシート部４の外面４Ａを覆うものである。
【００１３】
８、８はマスク載置シート部３の上下側に切込み形成した上下一対の係止片を示す。該各係止片８は湾曲状の基部８Ａと、該基部８Ａの中央に突出させた湾曲状の指掛け部８Ｂとから鏡餅状に形成してある。
そして、該各係止片８はマスク５１を構成し、マスク本体５１Ａの両側に取着してある一対の耳掛け紐５１Ｂ、５１Ｂを掛け止めるためのものである。
【００１４】
９は下覆いシート部４の上下方向略中心で折曲げ縁５の脇に切込み形成した円弧状の係止爪で、該係止爪９に上覆いシート部６の先端縁６Ａを差し込むことにより、ホルダー１が携帯中に開く事態を防止している。
【００１５】
１０はマスク載置シート部３の外面３Ａに印刷して表示したマスク収納説明図（使い方説明図）を示す。該マスク収納説明図１０は、マスク５１をホルダー１に収納する状態、上覆いシート部を係止爪に止めた状態、耳掛け紐を係止片に掛けた状態の３図を表わして構成してあり、初めて手にした人もマスク５１をホルダー１内に容易に、確実に収納して保管し、また携帯できるようにしてある。
【００１６】
本実施の形態に係るホルダー１は上述の構成からなるもので、以下にその使用方法について説明する。マスク５１を携帯して外出する場合、マスク５１をホルダー１のマスク載置シート部３に置き、下覆いシート部４と上覆いシート部６を重ね、上覆いシート部６を係止爪９に係合する。そして、一対の耳掛け紐５１Ｂ、５１Ｂはマスク載置シート部３の外面３Ａ側に回して各係止片８に係合することにより、携帯に好適な状態に格納することができる。
【００１７】
外出先で、顔から外したマスク５１はホルダー１に収納することで、テーブル等の上に安心して置くことができるし、汚染したマスクにより周囲に汚染を拡大する事態を防止することができる。また、ポケットやバッグに収納する場合も、形崩れすることがないし、汚染から防衛することができる。そして、使用後は、ホルダー１に収納した状態のままでごみ箱に捨てること、即ち使い捨て処分を安心して行うことができる。
【００１８】
図５及び図６は実施の形態の変形例を示す。その特徴は、上下一対の係止片８、８を下覆いシート部４に形成したことにある。すなわち、マスク載置シート部３の上にマスク５１を置き、下覆いシート部４を重ねた後各耳掛け紐５１Ｂを係止片８に係止して図６の状態にし、更に上覆いシート部６を重ねることでマスク本体５１Ａ及び耳掛け紐５１Ｂも含めてマスク５１の全体を覆うことができる。
【００１９】
なお、本実施の形態では、マスク収納説明図１０はマスク載置シート部３の外面３Ａに表したが、マスク載置シート部３の内面３Ｂに表してもよいものである。
【００２０】
図７乃至図９は本考案の第２の実施の形態を示す。本実施の形態の特徴は、ホルダー２１を構成する紙材からなるシート状基材２２を、マスク載置シート部２３と該マスク載置シート部２３を覆う上覆いシート部２４とから二つ折り型に形成したことにある。そして、マスク載置シート部２３の上下に一対の係止片８、８を、中間に係止爪９を切込み形成し、内面２３Ａにマスク収納説明図１０を表した構成にしてある。
【００２１】
本実施の形態の二つ折り型でも、ホルダー２１としてマスク５１を全体的に覆って汚れと感染拡大を防止し、また保形した状態で携帯し、そのままごみ箱等に捨てることができる。
【００２２】
第１及び第２の実施の形態ではシート状基材２、２２に紙材を用いたが、合成樹脂材を用いてもよいものである。この場合、折り曲げ縁５、７はシート部３、４、６より薄地にすることにより、操作性と耐久性を確保できる。
このように、シート状基材２、２２に合成樹脂材を用いた場合は、ホルダー１、２１を洗浄することにより、また必要に応じて殺菌することで再利用することができる。
【符号の説明】
【００２３】
１、２１      マスクホルダー
２、２２      シート状基材
３、２３      マスク載置シート部
４            下覆いシート部
６、２４      上覆いシート部
８            係止片（係止部）
１０          マスク収納説明図
５１          マスク
５１Ａ        マスク本体
５１Ｂ        耳掛け紐
【図１】
0003228111.tif 000003
【図２】
0003228111.tif 000004
【図３】
0003228111.tif 000005
【図４】
0003228111.tif 000006
【図５】
0003228111.tif 000007
【図６】
0003228111.tif 000008
【図７】
0003228111.tif 000009
【図８】
0003228111.tif 000010
【図９】
0003228111.tif 000011